(57)【要約】【課題】可逆熱変色層を意識しなくても、通常の使用で確実に可逆熱変色層の熱変色が得られ、且つ、操作部の操作の度に、操作部の色変化により、視覚的な面白さが得られる出没式筆記具を提供する。【解決手段】軸筒２内に筆記体３を前後方向に移動可能に収容する。筆記体３の後端に操作体４を接続する。軸筒２の側壁に前後方向に延びる窓孔２２を径方向に貫設する。窓孔２２から径方向外方に操作体４の操作部４１を突出させる。操作部４１を前方に押圧操作し操作体４を窓孔２２に沿って前方にスライドさせることにより筆記体３のペン先３１を軸筒２の前端孔２１から突出させる。操作部４１の表面に手指の接触により熱変色可能な可逆熱変色層８を設ける。【選択図】  図３
2012183699.tif 000002
【特許請求の範囲】
【請求項１】
軸筒内に筆記体を前後方向に移動可能に収容し、前記筆記体を弾発体により後方に付勢し、前記筆記体の後端に操作体を接続し、前記軸筒の側壁に前後方向に延びる窓孔を径方向に貫設し、前記窓孔から径方向外方に前記操作体の操作部を突出させ、前記操作部を前方に押圧操作し前記操作体を前記窓孔に沿って前方にスライドさせることにより前記筆記体のペン先を前記軸筒の前端孔から突出させる出没式筆記具であって、前記操作部の径方向外面に手指の接触により熱変色可能な可逆熱変色層を設けたことを特徴とする出没式筆記具。
【請求項２】
前記軸筒内に複数の筆記体を前後方向に移動可能に収容し、前記各々の筆記体を弾発体により後方に付勢し、前記各々の筆記体の後端に操作体を連結し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、前記各々の操作部の径方向外面に前記可逆熱変色層を設けた請求項１記載の出没式筆記具。
【請求項３】
前記各々の操作部の径方向外方の頂部に前記可逆熱変色層を設けた請求項２記載の出没式筆記具。
【請求項４】
前記各々の操作部の可逆熱変色層の様相が、手指の接触による熱変色の前において同一である請求項３記載の出没式筆記具。
【請求項５】
前記可逆熱変色層の上面に透明性金属光沢顔料を含む金属光沢層を形成した請求項１乃至４のいずれか一つに記載の出没式筆記具。
【発明の詳細な説明】
【技術分野】
【０００１】
本発明は、出没式筆記具に関する。
【背景技術】
【０００２】
従来、特許文献１には、文房具表面の適宜位置に、手先の接触乃至摩擦により変色する可逆熱変色層を設けた文房具が開示されている。さらに、特許文献１には、前記文房具が筆記具の場合、可逆熱変色層を軸筒の表面部分に設けることが記載されている。
【先行技術文献】
【特許文献】
【０００３】
【特許文献１】特開平９−２９５４８９号公報
【発明の概要】
【発明が解決しようとする課題】
【０００４】
前記特許文献１の筆記具は、軸筒の表面に可逆熱変色層を設ける場合、可逆熱変色層を意識して接触しなければ確実な熱変色が得られないおそれがある。
【０００５】
本発明は、前記従来の問題点を解決するものであって、可逆熱変色層を意識しなくても、通常の使用で確実に可逆熱変色層の熱変色が得られ、且つ、操作部の操作の度に、操作部の色変化により、視覚的な面白さが得られる出没式筆記具を提供しようとするものである。
また、本発明は、操作部の径方向外面の可逆熱変色層を、より一層確実に熱変色させることができる出没式筆記具を提供しようとするものである。
また、本発明は、スライド操作した直後の操作部を容易に識別できる出没式筆記具を提供しようとするものである。
また、本発明は、操作部の装飾性が向上し、高級感を有する外観が得られる出没式筆記具を提供しようとするものである。
尚、本発明で、「前」とは、ペン先側を指し、「後」とは、その反対側を指す。
【課題を解決するための手段】
【０００６】
本願の第１の発明は、軸筒２内に筆記体３を前後方向に移動可能に収容し、前記筆記体３を弾発体５により後方に付勢し、前記筆記体３の後端に操作体４を接続し、前記軸筒２の側壁に前後方向に延びる窓孔２２を径方向に貫設し、前記窓孔２２から径方向外方に前記操作体４の操作部４１を突出させ、前記操作部４１を前方に押圧操作し前記操作体４を前記窓孔２２に沿って前方にスライドさせることにより前記筆記体３のペン先３１を前記軸筒２の前端孔２１から突出させる出没式筆記具であって、前記操作部４１の径方向外面に手指の接触により熱変色可能な可逆熱変色層８を設けたことを要件とする。
【０００７】
前記第１の発明の出没式筆記具１は、操作部４１の径方向外面（操作部４１の径方向表面）に手指の接触により熱変色可能な可逆熱変色層８を設けたことにより、可逆熱変色層８を意識しなくても、通常の使用で確実に可逆熱変色層８の熱変色が得られ、且つ、操作部４１の操作の度に、操作部４１の色変化により、視覚的な面白さが得られる。
【０００８】
本願の第２の発明は、前記第１の発明の出没式筆記具１において、前記軸筒２内に複数の筆記体３を前後方向に移動可能に収容し、前記各々の筆記体３を弾発体５により後方に付勢し、前記各々の筆記体３の後端に操作体４を連結し、前記軸筒２の側壁に前後方向に延びる複数の窓孔２２を径方向に貫設し、前記各々の窓孔２２から径方向外方に前記各々の操作体４の操作部４１を突出させ、一つの操作体４を窓孔２２に沿って前方にスライドさせることにより、その一つの操作体４に連結された筆記体３のペン先３１を軸筒２の前端孔２１から突出させるとともに、先に突出状態にあった他の筆記体３のペン先３１を軸筒２内に没入させてなり、前記各々の操作部４１の径方向外面に前記可逆熱変色層８を設けたことを要件とする。
【０００９】
前記第２の発明の出没式筆記具１は、多芯タイプの出没式筆記具であって、各々の操作部４１の径方向外面に、手指の接触により熱変色可能な可逆熱変色層８を設けたことにより、スライド操作による操作部４１の前方移動が完了した直後に、操作部４１の径方向外面と指との前後の摺接により摩擦熱が発生し、操作部４１の径方向外面の可逆熱変色層８を、より一層確実に熱変色させることができる。
【００１０】
本願の第３の発明は、前記第２の発明の出没式筆記具１において、前記各々の操作部４１の径方向外方の頂部に前記可逆熱変色層８を設けたことを要件とする。
【００１１】
前記第３の発明の出没式筆記具１は、前記各々の操作部４１の径方向外方の頂部に前記可逆熱変色層８を設けたことにより、前記可逆熱変色層８を、より一層確実に熱変色させることができる。
【００１２】
本願の第４の発明は、前記第３の発明の出没式筆記具１において、前記各々の操作部４１の可逆熱変色層８の様相が、手指の接触による熱変色の前において同一であることを要件とする。
【００１３】
前記第４の発明の出没式筆記具１は、前記各々の操作部４１の可逆熱変色層８の様相が、手指の接触による熱変色の前（即ち加熱による熱変色の前）において同一であることにより、スライド操作した直後の操作部４１を容易に識別できる。もし、前記各々の操作部４１の可逆熱変色層８の様相が、手指の接触による熱変色の前において異なる場合、スライド操作した直後の操作部４１を容易に識別できないおそれがある。
【００１４】
本願の第５の発明は、前記第１乃至第４の発明の出没式筆記具１において、前記可逆熱変色層８の上面に透明性金属光沢顔料を含む金属光沢層を形成したことを要件とする。
【００１５】
前記第５の発明の出没式筆記具１は、操作部４１の装飾性が向上し、高級感を有する外観が得られる。
【００１６】
・可逆熱変色層
前記可逆熱変色層８中に含まれる可逆熱変色性組成物としては、従来より公知の（イ）電子供与性呈色性有機化合物、（ロ）電子受容性化合物、及び（ハ）前記両者の呈色反応の生起温度を決める反応媒体、の必須三成分を含む可逆熱変色性組成物が有効であり、発色状態からの加熱により消色する加熱消色型可逆熱変色性組成物としては、特公昭５１−４４７０６号公報、特公昭５１−４４７０７号公報、特公平１−２９３９８号公報等に記載の組成物が利用できる。
【００１７】
前記組成物は、所定の温度（変色点）を境としてその前後で変色し、完全消色温度以上の温度域で消色状態を呈し、完全発色温度以下の温度域で発色状態を呈し、前記両状態のうち常温域では特定の一方の状態しか存在しない。即ち、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性を有する。
【００１８】
又、加熱消色型可逆熱変色性組成物として、特公平４−１７１５４号公報、特開平７−１７９７７７号公報、特開平７−３３９９７号公報、特開平８−３９９３６号公報等に記載された、温度変化による着色濃度の変化をプロットした曲線の形状が、温度を変色温度域より低温側から上昇させていく場合と、逆に変色温度域より高温側から下降させていく場合とで大きく異なる経路を辿って変色し、完全発色温度以下の低温域での発色状態、又は、完全消色温度以上の高温域での消色状態が特定温度域で互変的に記憶保持できるヒステリシス幅が比較的大きい特性を有する色彩記憶保持型可逆熱変色性顔料も利用できる。
【００１９】
更には、消色状態からの加熱により発色し、温度降下により消色する加熱発色型可逆熱変色性組成物も利用でき、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、特定のヒドロキシ安息香酸エステルを適用した系（特開２００１−１０５７３２号公報）、特定の没食子酸エステル等を適用した系（特開２００３−２５３１４９号公報）が挙げられる。
【００２０】
前記した可逆熱変色性組成物は、そのままの適用でも有効であるが、マイクロカプセルに内包して使用するのが好ましい。それは、種々の使用条件において可逆熱変色性組成物は同一の組成に保たれ、同一の作用効果を奏することができるからである。前記微小カプセルに内包させることにより、化学的、物理的に安定なマイクロカプセル顔料を構成でき、粒子径０．１〜３０μｍ、好ましくは０．５〜１０μｍの範囲が実用性を満たす。
【００２１】
尚、マイクロカプセル化は、従来より公知の界面重合法、ｉｎ
Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００２２】
前記可逆熱変色性組成物をビヒクル中に分散したインキや塗料を用いて、前記した従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、操作部４１の径方向外面に可逆熱変色層８を形成できる。更には、前記可逆熱変色性組成物を内包したマイクロカプセル顔料を、熱可塑性樹脂或いは熱硬化性樹脂中にブレンドして形成した成形体を可逆熱変色層８として用いてもよい。更に、各層が成形体により形成される場合は、各層を接着して積層体が得られる。前記した可逆熱変色層８には、非熱変色性有色染顔料の適宜量を混在させて熱変色層の色変化を多彩に構成することもできる。
【００２３】
また、前記可逆熱変色層８は、可逆熱変色性組成物をビヒクル中に分散したインキや塗料を用いて、適宜の文字、数字、記号、図形、図柄等を形成してもよい。また、前記可逆熱変色層８の下層に、非熱変色性有色染顔料による非熱変色層を形成し、該非熱変色層を前記可逆熱変色層８により隠顕させる構成にしてもよい。また、前記可逆熱変色層８の上層に非変色層を形成しもよい。前記非熱変色層は、適宜の文字、数字、記号、図形、図柄等からなるものでもよい。
【００２４】
・金属光沢層
前記透明性金属光沢顔料は、天然雲母、合成雲母、偏平ガラス片、薄片状酸化アルミニウム等から選ばれる透明性芯物質を金属酸化物で被覆したもの、あるいは視点により色調が変化するカラーフロップ性を有する金属光沢顔料（例えばコレステリック液晶型光輝性顔料）が挙げられる。
【００２５】
前記透明性金属光沢顔料をビヒクル中に分散したインキや塗料を用いて、従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により操作部４１の径方向外面の可逆熱変色層８の上面に金属光沢層を形成できる。更には、前記金属光沢顔料を熱可塑性樹脂或いは熱硬化性樹脂中にブレンドして形成した成形体を金属光沢層として用いてもよい。
【発明の効果】
【００２６】
本発明の出没式筆記具は、可逆熱変色層を意識しなくても、通常の使用で確実に可逆熱変色層の熱変色が得られ、操作部の操作の度に、操作部の色変化により、視覚的な面白さが得られる。
【図面の簡単な説明】
【００２７】
【図１】本発明の第１の実施の形態のペン先没入状態を示す正面図である。
【図２】図１のペン先突出状態を示す側面図である。
【図３】図１の縦断面図である。
【図４】本発明の第２の実施の形態のペン先没入状態を示す側面図である。
【図５】図４の縦断面図である。
【図６】図４のペン先突出状態を示す縦断面図である。
【発明を実施するための形態】
【００２８】
＜第１の実施の形態＞
図１乃至図３に本発明の第１の実施の形態を示す。
本実施の形態の出没式筆記具１は、軸筒２と、該軸筒２内に前後方向に移動可能に収容される筆記体３と、該筆記体３のペン先３１を軸筒２の前端孔２１より出没自在にさせる出没機構とを備える。
【００２９】
・軸筒
前記軸筒２の側壁には、前後方向に延びる窓孔２２が径方向に貫設される。前記軸筒２の前端部には前端孔２１が前後方向に貫設される。前記軸筒２の後端部には、弾性材料よりなる摩擦部２４が設けられる。前記摩擦部２４により、前記熱変色性インキにより形成した筆跡を摩擦し、その際に発生する摩擦熱で該筆跡を熱変色させることができる。
【００３０】
・筆記体
前記筆記体３は、ペン先３１と、該ペン先３１が前端開口部に圧入固着されたインキ収容管と、該インキ収容管内に充填されるインキ（例えば熱変色性インキ）と、該インキの後端に充填され且つ該インキの消費に伴い前進する追従体（例えば高粘度流体）とからなる。
【００３１】
前記ペン先３１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管の後端開口部に、インキ収容管と外部とが通気可能な通気孔を備えた尾栓が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００３２】
・出没機構
前記出没機構は、回転カム機構を用いたサイドスライド式出没機構である。前記出没機構は、軸筒２内面に形成されたカム部２３と、該カム部２３に係合し且つ筆記体３の後端に当接する回転部材６と、該回転部材６に係合し且つ前記窓孔２２より径方向外方に突出する操作体４と、軸筒２内に収容され且つ筆記体３を後方に付勢する弾発体５（例えば圧縮コイルスプリング）とからなる。本実施の形態の出没機構は、ペン先突出操作及びペン先没入操作のいずれもが操作部４１を前方にスライド操作するダブルノック式である。
【００３３】
・操作部
前記操作体４の操作部４１が前記窓孔２２より径方向外方に突出される。前記操作部４１は、クリップを兼ねる。前記操作部４１の径方向外面には、可逆熱変色層８が形成される。前記可逆熱変色層８の上面に透明性金属光沢顔料を含む金属光沢層が形成される。
【００３４】
・可逆熱変色層
前記可逆熱変色層８は、手指の接触や摩擦等によって色相が変化する可逆熱変色性材料を含む塗装用インキや印刷用インキを操作部４１の外面に塗装もしくは印刷することで形成されており、変色する好ましい温度領としては、−１０℃〜５０℃であり、より好ましくは２５℃〜４５℃となる。前記可逆熱変色性材料としては、先に説明したものが適用でき、可逆熱変色性組成物が直接用いられる他、該組成物をマイクロカプセルに内包したマイクロカプセル顔料形態で用いることができる。前記金属光沢層は、先に説明した透明性金属光沢顔料を含む塗装用インキや印刷用インキを前記可逆熱変色層８の上面に塗装もしくは印刷することで形成されており、透明性があることより、前記可逆熱変色層８の色相変化が金属光沢調となって視認できる。更に、前記可逆熱変色層８の上面に紫外線吸収剤を含むトップコート層を積層形成することもでき、装飾効果と耐光性の向上効果が付与できる。
【００３５】
本実施の形態の出没式筆記具１は、操作部４１の径方向外面に手指の接触により熱変色可能な可逆熱変色層８を設けたことにより、可逆熱変色層８を意識しなくても、通常の使用で確実に可逆熱変色層８の熱変色が得られ、且つ、操作部４１の操作の度に、操作部４１の色変化により、視覚的な面白さが得られる。
【００３６】
本実施の形態の出没式筆記具１は、前記可逆熱変色層８の上面に透明性金属光沢顔料を含む金属光沢層を形成したことにより、操作部４１の装飾性が向上し、高級感を有する外観が得られる。
【００３７】
＜第２の実施の形態＞
図４乃至図６に本発明の第２の実施の形態を示す。
本実施の形態の出没式筆記具１は、軸筒２内に複数本（具体的には２本）の筆記体３が前後方向に移動可能に収容されている。前記各々の筆記体３は、弾発体５（具体的には圧縮コイルスプリング）により、後方に付勢されている。尚、前記軸筒２内に収容する複数本の筆記体３は、２本以外にも、例えば、３本、４本、５本、６本であってもよい。
【００３８】
・軸筒
前記軸筒２の前端には、前記筆記体３のペン先３１が出没可能な前端孔２１が前後方向に貫設される。前記軸筒２の後部の側壁には、複数本（具体的には２本）の前後方向に延びる細長状の窓孔２２が径方向に貫設される。
【００３９】
また、前記軸筒２の窓孔２２の相互間の側壁内面には、前後方向に延びるリブよりなる係止壁部２５が形成され、前記係止壁部２５に、ペン先３１が突出した際の筆記体３の操作体４の後端が係止される。前記軸筒２の窓孔２２の相互間の側壁外面には、クリップが設けられる。
【００４０】
・蓋部
前記軸筒２の後端部には、前記窓孔２２後端の切り欠き状の開口部を開閉自在にする蓋部７が回動自在に設けられる。前記蓋部７の前面には、当接壁部７１が形成される。前記当接壁部７１に、没入状態の筆記体３の後端に連結された各々の操作体４の後端が、衝止される。前記蓋部７を回動させ、前記開口部を開口させ、前記開口部を介して操作体４及び筆記体３が交換可能である
【００４１】
・筆記体
前記各々の筆記体３は、ボールペンレフィルであり、前端にボールが回転可能に抱持されたボールペンチップ（即ちペン先３１）と、該ボールペンチップを前端に備え且つ後端が開口されたインキ収容管とからなる。前記インキ収容管の内部には、インキが収容される。前記インキ収容管内のインキの後端には、インキの消費に伴い前進する高粘度流体からなる追従体が充填される。
【００４２】
・操作体
前記各々の筆記体３の後端（即ちインキ収容管の後端開口部）には、操作体４が取り付けられる。前記各々の操作体４は、後端部に形成され且つ軸筒２の窓孔２２から外部に突出する操作部４１と、該操作部４１の反対側に設けられる後側突出部４３と、該操作部４１の反対側の後側突出部４３の前方に設けられる前側突出部４２と、前端部に形成され且つインキ収容管の後端開口部に嵌入される嵌入部４４と、該嵌入部４４の後方に形成される鍔部４５とを備える。前記鍔部４５の前面には、弾発体５の後端が係止される。
【００４３】
筆記体３のペン先３１が没入状態のとき、その筆記体３に取り付けられた操作体４の後端部は、蓋部７の前面に形成された当接壁部７１に衝止される。一方、筆記体３のペン先３１が突出状態のとき、その筆記体３に取り付けられた操作体４の後端部は、軸筒２の内壁に形成された係止壁部２５に係止される。
【００４４】
ペン先没入状態にある筆記体３の後端に連結された操作体４の前側突出部４２は、その操作体４の操作部４１を前方にスライド操作した際、先にペン先突出状態にある他の筆記体３の後端に連結された操作体４の後側突出部４３と当接され、他の筆記体３のペン先突出状態が解除される。
【００４５】
前記操作体４の操作部４１の頂部の径方向外面には、可逆熱変色層８が形成される。前記可逆熱変色層８の上面に透明性金属光沢顔料を含む金属光沢層が形成される。前記各々の操作部４１の可逆熱変色層８の様相が、手指の接触による熱変色の前において同一である
【００４６】
・可逆熱変色層
前記可逆熱変色層８は、手指の接触や摩擦等によって色相が変化する可逆熱変色性材料を含む塗装用インキや印刷用インキを操作部４１の外面に塗装もしくは印刷することで形成されており、変色する好ましい温度領としては、−１０℃〜５０℃であり、より好ましくは２５℃〜４５℃となる。前記可逆熱変色性材料としては、先に説明したものが適用でき、可逆熱変色性組成物が直接用いられる他、該組成物をマイクロカプセルに内包したマイクロカプセル顔料形態で用いることができる。前記金属光沢層は、先に説明した透明性金属光沢顔料を含む塗装用インキや印刷用インキを前記可逆熱変色層８の上面に塗装もしくは印刷することで形成されており、透明性があることより、前記可逆熱変色層８の色相変化が金属光沢調となって視認できる。更に、前記可逆熱変色層８の上面に紫外線吸収剤を含むトップコート層を積層形成することもでき、装飾効果と耐光性の向上効果が付与できる。
【００４７】
本実施の形態の出没式筆記具１は、操作部４１の径方向外面に手指の接触により熱変色可能な可逆熱変色層８を設けたことにより、可逆熱変色層８を意識しなくても、通常の使用で確実に可逆熱変色層８の熱変色が得られ、且つ、操作部４１の操作の度に、操作部４１の色変化により、視覚的な面白さが得られる。
【００４８】
本実施の形態の出没式筆記具１は、多芯タイプの出没式筆記具であって、各々の操作部４１の径方向外面に、手指の接触により熱変色可能な可逆熱変色層８を設けたことにより、スライド操作による操作部４１の前方移動が完了した直後に、操作部４１の径方向外面と指との前後の摺接により摩擦熱が発生し、操作部４１の径方向外面の可逆熱変色層８を、より一層確実に熱変色させることができる。
【００４９】
本実施の形態の出没式筆記具１は、前記各々の操作部４１の径方向外方の頂部に前記可逆熱変色層８を設けたことにより、前記可逆熱変色層８を、より一層確実に熱変色させることができる。
【００５０】
本実施の形態の出没式筆記具１は、前記各々の操作部４１の可逆熱変色層８の様相が、手指の接触による熱変色の前において同一であることにより、スライド操作した直後の操作部４１を容易に識別できる。
【００５１】
本実施の形態の出没式筆記具１は、前記可逆熱変色層８の上面に透明性金属光沢顔料を含む金属光沢層を形成したことにより、操作部４１の装飾性が向上し、高級感を有する外観が得られる。
【符号の説明】
【００５２】
１  出没式筆記具
２  軸筒
２１  前端孔
２２  窓孔
２３  カム部
２４  摩擦部
２５  係止壁部
３  筆記体
３１  ペン先
４  操作体
４１  操作部
４２  前側突出部
４３  後側突出部
４４  嵌入部
４５  鍔部
５  弾発体
６  回転部材
７  蓋部
７１ 当接壁部
８  可逆熱変色層
【図１】
2012183699.tif 000003
【図２】
2012183699.tif 000004
【図３】
2012183699.tif 000005
【図４】
2012183699.tif 000006
【図５】
2012183699.tif 000007
【図６】
2012183699.tif 000008